(57)【特許請求の範囲】
【請求項１】
映像を表示する表示パネルと、
フレームの映像データを保存する第１メモリと、
前記第１メモリを制御するメモリ制御部と、
前記第１メモリに保存されたフレームのラインデータを高周波数で出力するフレーム反復部と、
第２メモリと、
前記フレーム反復部から出力されたフレームのラインデータを圧縮して前記第２メモリに保存する圧縮制御部と、
前記第２メモリから出力されたフレームのラインデータを復元し、フレームのラインデータを補正するデータ補正部と、
前記補正されたフレームのラインデータに基づいた映像を表示するパネル駆動部と、を有し、
前記メモリ制御部は、
ｎ番目フレームの１番目のラインデータが入力される水平区間に対応する第１メモリ制御区間の第１サブ区間の間、前記第１メモリで（ｎ−１）番目フレームの１番目のラインデータを出力し、前記第１メモリ制御区間の第２サブ区間の間、前記第１メモリで（ｎ−１）番目フレームの２番目のラインデータを出力し、前記第１メモリ制御区間の第３サブ区間の間、前記第１メモリにｎ番目フレームの１番目のラインデータを記録し、
前記圧縮制御部は、
前記水平区間に対応する第２メモリ制御区間の第１サブ区間の間、前記第２メモリで圧縮された（ｎ−２）番目フレームの１番目のラインデータを出力し、前記第２メモリ制御区間の第２サブ区間の間、前記第２メモリに圧縮された（ｎ−１）番目フレームの１番目のラインデータを記録し、前記第２メモリ制御区間の第３サブ区間の間、前記第２メモリで圧縮された（ｎ−２）番目フレームの２番目のラインデータを出力し、前記第２メモリ制御区間の第４サブ区間の間、前記第２メモリに圧縮された（ｎ−１）番目フレームの２番目のラインデータを記録し、
前記データ補正部は、
前記第２メモリから出力され第１サブ区間に読み取った（ｎ−２）番目フレームの１番目のラインデータを復元し、前記復元された（ｎ−２）番目フレームの１番目のラインデータを基準データにして前記第１メモリから出力された（ｎ−１）番目フレームの１番目のラインデータを補正して出力し、
前記第２メモリから出力され第３サブ区間に読み取った（ｎ−２）番目フレームの２番目のラインデータを復元し、前記復元された（ｎ−２）番目フレームの２番目のラインデータを基準データにして前記第１メモリから出力された（ｎ−１）番目フレームの２番目のラインデータを補正して出力し、
ｎ番目の映像フレームの２番目のラインデータが入力される第２水平区間に、ｎ−１番目の映像フレームｎ−１の３番目のラインデータ及び４番目のラインデータを補正して出力する
ことを特徴とする表示装置。
【請求項２】
前記パネル駆動部は、前記表示パネルに第１フレームの間第１左眼映像データを出力し、第２フレームの間前記第１左眼映像データが反復された第２左眼映像データを出力し、
第３フレームの間第１右眼映像データを出力し、第４フレームの間前記第１右眼映像データが反復された第２右眼映像データを出力する
ことを特徴とする請求項１に記載の表示装置。
【請求項３】
ブラック映像データを挿入するブラック挿入部をさらに含み、
前記ブラック挿入部は左眼映像データと右眼映像データとの間に前記ブラック映像データを挿入し、
前記パネル駆動部は前記表示パネルに第１フレームに左眼映像データを、第２フレームにブラック映像データを、第３フレームに右眼映像データを、第４フレームにブラック映像データを、順に出力する
ことを特徴とする請求項１に記載の表示装置。
【発明の詳細な説明】
【技術分野】
【０００１】
本発明は、映像（ｉｍａｇｅ）データ処理方法、これを用いる映像表示方法、及びこれを実行する表示装置に関し、より詳細には、高周波数の映像データ処理方法、これを用いる映像表示方法、及びこれを実行する表示装置に関する。
【背景技術】
【０００２】
一般的に、液晶表示装置は２次元平面映像を表示する。最近、ゲーム、映画などの分野で３次元立体映像に対する需要が増加していることから、液晶表示装置を用いて３次元立体映像を表示することがある。
【０００３】
一般的に、立体映像は人間の両目を通した両眼視差（ｂｉｎｏｃｕｌａｒ ｐａｒａｌｌａｘ)の原理を用いて表示される。例えば、人間の２つの目は一定程度離れているので、それぞれの目で異なる角度から観察した映像が脳に感知される。立体映像表示装置は、人間の両眼視差を利用する。
【０００４】
立体映像表示方式ではメガネ方式（ｓｔｅｒｅｏｓｃｏｐｉｃ）とオートステレオスコピック方式（ａｕｔｏ−ｓｔｅｒｅｏｓｃｏｐｉｃ）がある。メガネ方式は、両眼にそれぞれ青色と赤色の色メガネをかけるアナグリフ（ａｎａｇｌｙｐｈ）方式と、時間分割された左眼映像と右眼映像とを周期的に示し、この周期に同期させて左眼シャッターと右眼シャッターとを開閉するメガネをかけるシャッターメガネ（Ｓｈｕｔｔｅｒ Ｇｌａｓｓ）方式などがある。
【０００５】
一般的に、シャッターメガネ方式が適用された液晶表示装置は２４０Ｈｚ駆動をする。すなわち、液晶表示装置は、左眼映像フレーム及び右眼映像フレームを表示する。このように、２４０Ｈｚの映像フレームを処理するためには、高価なフレームレート制御器（Ｆｒａｍｅ Ｒａｔｅ Ｃｏｎｔｒｏｌｌｅｒ：ＦＲＣ）を用いなければならない。これは一般的な１２０Ｈｚの平面映像を表示する液晶表示装置と比較すると、費用上昇が発生する原因となる。
【先行技術文献】
【特許文献】
【０００６】
【特許文献１】米国特許第７，１０６，３８０号明細書
【特許文献２】米国特許出願公開第２００７／０１４６４７９号明細書
【特許文献３】米国特許出願公開第２００７／０３０９８９０号明細書
【特許文献４】米国特許出願公開第２０１０／００３３５５５号明細書
【発明の概要】
【発明が解決しようとする課題】
【０００７】
本発明の技術的課題は、このような点に鑑みてなされたものであって、コスト効率の良い方法でデータ処理方法を提供することにある。
【０００８】
本発明の他の目的はデータ処理方法を用いる映像表示方法を提供することにある。
【０００９】
本発明のまた他の目的は映像表示方法を実行する表示装置を提供することにある。
【課題を解決するための手段】
【００１０】
本発明の目的を実現するための一実施形態に係るデータ処理方法は、映像フレームデータを第１メモリに保存する。前記第１メモリを制御して、前記映像フレームデータが反復された高周波数の映像フレームデータを出力する。前記高周波数の映像フレームデータを以前のフレームのデータに基づいて補正する。
【００１１】
本発明の目的を実現するための他の実施形態に係るデータ処理方法は、以前のフレームの映像フレームデータに基づいて映像フレームデータを補正する。補正された映像フレームデータを第１メモリに保存する。前記第１メモリを制御して前記補正された映像フレームデータが反復された高周波数の映像フレームデータを出力する。
【００１２】
本発明の他の目的を実現するための一実施形態に係る映像表示方法は、左眼映像データ、または、右眼映像データをメモリに保存する。前記メモリを制御して前記左眼映像データ、または、右眼映像データを反復及び補正して、高周波数の第１左眼映像フレーム及び第２左眼映像フレーム、または、第１右眼映像フレーム及び第２右眼映像フレームを生成する。表示パネルに前記高周波数の映像フレームを表示する。
【００１３】
本発明のまた他の目的を実現するための一実施形態に係る表示装置は、表示パネル、データ処理部及びパネル駆動部を含む。前記表示パネルは映像を表示する。前記データ処理部はメモリに保存された映像フレームデータを反復及び補正して高周波数の映像フレームデータを生成する。前記パネル駆動部は前記高周波数の映像フレームデータに基づいて前記表示パネルに前記高周波数の映像フレームを表示する。
【００１４】
本実施形態に係る表示装置は、左眼映像フレームと右眼映像フレームとの間にブラック映像フレームを挿入するブラック挿入部をさらに含み、前記パネル駆動部は前記表示パネルに左眼映像フレーム、ブラック映像フレーム、右眼映像フレーム及びブラック映像フレームを表示する。
【００１５】
本実施形態に係るデータ処理部は、映像フレームデータを保存する第１メモリと、前記第１メモリとを制御して前記映像フレームデータが反復された高周波数の映像フレームデータを出力するフレーム反復部及び前記高周波数の映像フレームデータを以前のフレームのデータに基づいて補正するデータ補正部を含む。
【００１６】
本実施形態に係るデータ処理部は、以前のフレームの映像フレームデータに基づいて映像フレームデータを補正するデータ補正部と、補正された映像フレームデータとを保存する第１メモリ及び前記第１メモリを制御して前記補正された映像フレームデータが反復された高周波数の映像フレームデータを出力するフレーム反復部を含む。
【発明の効果】
【００１７】
本発明によると、受信された低周波数の映像フレームを、補正用メモリ、または、別のメモリを用いてそれぞれ反復させて生成する（ｒｅｐｅｔｉｔｉｖｅｌｙ  ｇｅｎｅｒａｔｅｄ）ことによって、高周波数の映像フレームを生成することができる。
【図面の簡単な説明】
【００１８】
【図１】本発明の実施形態１に係る表示装置のブロック図である。
【図２】図１に示されたデータ処理部のブロック図である。
【図３】図２のデータ処理部の駆動方法を説明するためのフローチャートである。
【図４】図２に示されたデータ処理部の入出力データのタイミング図である。
【図５】図２に示されたデータ処理部の入出力データのタイミング図である。
【図６】本発明の実施形態２に係るデータ処理部のブロック図である。
【図７】図６に示されたデータ処理部の駆動方法を説明するためのフローチャートである。
【図８】図６に示されたデータ処理部の入出力データのタイミング図である。
【図９】図６に示されたデータ処理部の入出力データのタイミング図である。
【図１０】本発明の実施形態３に係るデータ処理部のブロック図である。
【図１１】図１０に示されたデータ処理部の駆動方法を説明するためのフローチャートである。
【図１２】図１０に示されたデータ処理部の入出力データのタイミング図である。
【図１３】図１０に示されたデータ処理部の入出力データのタイミング図である。
【図１４】本発明の実施形態４に係るデータ処理部のブロック図である。
【図１５】図１４に示されたデータ処理部の駆動方法を説明するあめのフローチャートである。
【図１６】図１４に示されたデータ処理部の入出力データのタイミング図である。
【図１７】図１４に示されたデータ処理部の入出力データのタイミング図である。
【図１８】本発明の実施形態５に係るデータ処理部のブロック図である。
【図１９】図１８に示されたデータ処理部の駆動方法を説明するためのフローチャートである。
【図２０】図１８に示されたデータ処理部の入出力データのタイミング図である。
【図２１】図１８に示されたデータ処理部の入出力データのタイミング図である。
【図２２】本発明の実施形態６に係るデータ処理部のブロック図である。
【図２３】図２２に示されたデータ処理部に係る表示パネルの駆動方法を説明するためのフローチャートである。
【図２４】図２２に示されたデータ処理部の入出力データのタイミング図である。
【図２５】図２２に示されたデータ処理部の入出力データのタイミング図である。
【図２６】本発明の実子形態７に係る映像表示方法を説明するためのフローチャートである。
【図２７】本発明の実施形態８に係る映像表示方法を説明するためのフローチャートである。
【図２８】本発明の実施形態９に係る表示装置のブロック図である。
【図２９】図２８に示された表示装置の映像表示方法を説明するためのフローチャートである。
【図３０】本発明の実施形態１０に係る映像表示方法を説明するためのフローチャートである。
【発明を実施するための形態】
【００１９】
以下、図面を参照して本発明の表示装置の望ましい実施形態をより詳細に説明する。
【００２０】
実施形態１
【００２１】
図１は、本発明の実施形態１に係る表示装置のブロック図である。
【００２２】
図１を参照すると、表示装置は、データ処理部１００、パネル制御部４００、パネル駆動部５００、及び表示パネル７００を含む。
【００２３】
データ処理部１００は、第１周波数の映像フレームを受信し、映像フレームの周波数を反復（ｒｅｐｅａｔ）及び補正して第１周波数より高周波数である第２周波数の映像フレームを出力する。
【００２４】
映像フレームのデータの補正方式は、現在のフレームに受信された映像フレームのデータ（ｐｒｅｓｅｎｔ  ｆｒａｍｅ  ｄａｔａ）を、以前のフレームに受信された映像フレームのデータ（ｐｒｅｖｉｏｕｓ  ｆｒａｍｅ  ｄａｔａ）を用いて、オーバードライビング（ｏｖｅｒｄｒｉｖｉｎｇ）、または、アンダードライビング（ｕｎｄｅｒｄｒｉｖｉｎｇ）のためのデータに補正する。補正方式は、表示パネル７００の温度による画像ゆがみを最小化するためにＤＣＣ（Ｄｙｎａｍｉｃ Ｃａｐａｃｉｔａｎｃｅ Ｃｏｍｐｅｎｓａｔｉｏｎ：以下、ＤＣＣと称する。）技術を含む。ＤＣＣ技術は、液晶の応答速度を改善することができるものである。
【００２５】
第１周波数の映像フレームは、表示パネル７００にフレーム画面を第１周波数で表示するためのデータであり、高周波数の第２周波数の映像フレームは、フレーム画面を第２周波数で表示するためのデータである。以下、本発明の実施形態では第１周波数は１２０Ｈｚであり、高周波数の第２周波数は２４０Ｈｚであることを例として説明する。
【００２６】
パネル制御部４００は、パネル駆動部５００にタイミング信号及び映像フレームデータを供給する。
【００２７】
パネル駆動部５００は、データ駆動部５１０及びゲート駆動部５２０を含む。データ駆動部５１０は、パネル制御部４００から供給されたデジタル形態の映像フレームデータを、アナログ形態のデータ電圧に変換し、パネル制御部４００から供給されたデータタイミング信号に基づいて表示パネル７００に供給する。ゲート駆動部５２０は、パネル制御部４００から供給されたゲートタイミング信号に基づいてゲート信号を生成して表示パネル７００にゲート信号を供給する。
【００２８】
表示パネル７００は、複数のデータ配線、データ配線と交差する複数のゲート配線、及び複数の画素を含む。各画素はデータ配線とゲート配線及び画素電極に接続されたスイッチング素子を含む。データ配線のそれぞれにはデータ駆動部５１０から供給されたデータ電圧が印加され、ゲート配線のそれぞれにはゲート駆動部５２０から供給されたゲート信号が印加され、画素のそれぞれはデータ電圧に対応する映像を表示する。
【００２９】
図２は図１に示されたデータ処理部のブロック図である。図３は図２のデータ処理部の駆動方法を説明するためのフローチャートである。
【００３０】
図２及び図３を参照すると、データ処理部１００はメモリ１１０、メモリ制御部１２０、フレーム反復部１３０及びデータ補正部１７０を含む。
【００３１】
メモリ１１０は受信された１２０Ｈｚの映像フレームを保存する（ステップＳ１２１）。メモリ１１０は外部メモリであってもよい。例えば、エスディーラム（ＳＤＲＡＭ）であってもよい。
【００３２】
メモリ制御部１２０は、フレーム反復部（ｆｒａｍｅ  ｒｅｐｅａｔｉｎｇ  ｐａｒｔ）１３０及びデータ補正部１７０のデータ処理のために、メモリ１１０のデータ書き込みを制御し、メモリ１１０のデータ読み取りを制御する。
【００３３】
フレーム反復部１３０は、メモリ１１０を利用して１２０Ｈｚの映像フレームを反復（ｒｅｐｅａｔ）させて２４０Ｈｚの映像フレームを出力する（ステップＳ１２２）。
【００３４】
例えば、フレーム反復部１３０は、３次元モードでは１２０Ｈｚの左眼映像フレーム及び右眼映像フレームをそれぞれ反復させて、２４０Ｈｚの第１左眼映像フレーム、第２左眼映像フレーム、第１右眼映像フレーム、及び第２右眼映像フレームを出力する。フレーム反復部１３０は、２次元モードでは１２０Ｈｚのオリジナル（ｏｒｉｇｉｎａｌ）映像フレーム及び補間（ｉｎｔｅｒｐｏｌａｔｉｏｎ）映像フレームをそれぞれ反復させて第１オリジナル映像フレーム、第２オリジナル映像フレーム、第１補間映像フレーム、及び第
２補間映像フレームを出力する。すなわち、フレーム反復部１３０は、１２０Ｈｚの映像フレームを反復させて２４０Ｈｚの映像フレームを出力する。
【００３５】
データ補正部１７０は、オーバードライビング補正データ及びアンダードライビング補正データがテーブル形態で保存されたルックアップテーブルを含む。データ補正部１７０は、フレーム反復部１３０から受信された現在のフレームのデータをメモリ１１０に保存された以前のフレームのデータを基準データとしてルックアップテーブルに保存された補正データを出力する（ステップＳ１２３）。補正データは、現在のフレームの補正データである。
【００３６】
例えば、データ補正部１７０は、３次元モードでは２４０Ｈｚの第１左眼映像フレーム、第２左眼映像フレーム、第１右眼映像フレーム、及び第２右眼映像フレームのそれぞれを、メモリ１１０に保存された以前のフレームのデータを基準データとして、現在のフレームのデータを補正する。データ補正部１７０は、２次元モードでは、２４０Ｈｚの第１オリジナル映像フレーム、第２オリジナル映像フレーム、第１補間映像フレーム、及び第２補間映像フレームのそれぞれを、メモリ１１０に保存された以前のフレームのデータを基準データとして、現在のフレームのデータを補正する。
【００３７】
図４及び図５は、図２に示されたデータ処理部の入出力データのタイミング図である。図４及び図５の横軸（ｘ軸）は時間であり、縦軸（ｙ軸）は入出力データを示す。図５の横軸は図４の横軸から連続する時間を示す。
【００３８】
図２及び図４を参照し、映像フレームが１１２０水平ラインのデータを有するｎ番目の映像フレームｎ ＦＲＡＭＥが受信される場合を例として、データ処理部の動作を説明する。ここで、ｎは自然数である。
【００３９】
メモリ制御部１２０は、メモリ１１０の読み取り及び書き込みを制御してフレーム反復部１３０及びデータ補正部１７０にデータを供給する。
【００４０】
例えば、ｎ番目の映像フレームｎ ＦＲＡＭＥの１番目のラインデータが入力される第１水平区間Ｈ１の間、メモリ制御部１２０は第１水平区間Ｈ１を五つのサブ区間Ｔ１、Ｔ２、Ｔ３、Ｔ４、Ｔ５に分けてメモリ１１０の読み取り及び書き込みを制御する。
【００４１】
メモリ制御部１２０は、第１サブ区間Ｔ１にはｎ‐１番目の映像フレームｎ‐１ ＦＲＡＭＥの１番目のラインデータＬＤ１を読み取り、フレーム反復部１３０及びデータ補正部１７０に供給する。
【００４２】
メモリ制御部１２０は、第２サブ区間Ｔ２にはｎ‐２番目の映像フレームｎ‐２ ＦＲＡＭＥの１番目のラインデータＬＤ１を読み取り、データ補正部１７０に供給する。
【００４３】
メモリ制御部１２０は、第３サブ区間Ｔ３にはｎ‐１番目の映像フレームｎ‐１ ＦＲＡＭＥの２番目のラインデータＬＤ２を読み取り、フレーム反復部１３０及びデータ補正部１７０に供給する。
【００４４】
メモリ制御部１２０は、第４サブ区間Ｔ４にはｎ‐２番目の映像フレームｎ‐２ ＦＲＡＭＥの２番目のラインデータＬＤ２を読み取り、データ補正部１７０に供給する。
【００４５】
メモリ制御部１２０は、第５サブ区間Ｔ５には、第１〜第４サブ区間Ｔ１ 〜 Ｔ４の間にバッファリングされたｎ番目の映像フレームｎ ＦＲＡＭＥの一番目のラインデータＬＤ１をメモリ１１０に記録する。
【００４６】
フレーム反復部１３０は、第１サブ区間Ｔ１及び第３サブ区間Ｔ３に読み取ったｎ‐１番目の映像フレームｎ‐１ ＦＲＡＭＥの一番目のラインデータＬＤ１と２番目のラインデータＬＤ２とを受信する。フレーム反復部１３０は第１水平区間Ｈ１の間、ｎ‐１番目の映像フレームｎ‐１ ＦＲＡＭＥの１番目のラインデータＬＤ１及び２番目のラインデータＬＤ２を出力する。
【００４７】
データ補正部１７０は、第２サブ区間Ｔ２に読み取ったｎ‐２番目の映像フレームｎ‐２ＦＲＡＭＥの１番目のラインデータＬＤ１を基準データとして、第１サブ区間Ｔ１に読み取ったｎ‐１番目フレームの１番目のラインデータＬＤ１を補正する。データ補正部１７０は、第４サブ区間Ｔ４に読み取ったｎ‐２番目の映像フレームｎ‐２ ＦＲＡＭＥの２番目のラインデータＬＤ２を基準データとして、第３サブ区間Ｔ３に読み取ったｎ‐１番目の映像フレームの２番目のラインデータＬＤ２を補正する。データ補正部１７０は、第１水平区間Ｈ１の間、ｎ‐１番目の映像フレームｎ‐１ ＦＲＡＭＥの１番目のラインデータＬＤ１及び２番目のラインデータＬＤ２を補正して出力する。
【００４８】
このような方式で、ｎ番目の映像フレームｎ ＦＲＡＭＥの２番目のラインデータＬＤ２が入力される第２水平区間Ｈ２に、データ補正部１７０はｎ‐１番目の映像フレームｎ‐１ ＦＲＡＭＥの３番目のラインデータＬＤ３及び４番目のラインデータＬＤ４を補正して出力する。
【００４９】
したがって、ｎ番目の映像フレームｎ ＦＲＡＭＥのうち中間に相当する５６０番目のラインデータが入力される第５６０水平区間に、データ補正部１７０は、ｎ‐１番目の映像フレームｎ‐１ ＦＲＡＭＥの１１１９番目のラインデータ及び１１２０番目のラインデータを補正して出力する。すなわち、ｎ番目の映像フレームｎ ＦＲＡＭＥが入力される第ｎフレーム区間ｎ  ＦＰの前半の１／２区間の間、データ処理部１００は、補正されたｎ‐１番目の映像フレームｎ‐１ ＦＲＡＭＥを出力する。
【００５０】
図５を参照すると、第ｎフレーム区間ｎ  ＦＰの後半の１／２区間の間、データ処理部１００は、補正されたｎ‐１番目の映像フレームｎ‐１ ＦＲＡＭＥをもう一度出力する。
【００５１】
これによって、データ処理部１００は、第ｎフレーム区間ｎ  ＦＰの間、２つの補正されたｎ‐１番目の映像フレームｎ‐１ ＦＲＡＭＥを出力することができる。結果的にデータ処理部１００は１２０Ｈｚの映像フレームを２４０Ｈｚの映像フレームで出力する。
【００５２】
以下では実施形態１と同一な構成要素に対しては、同一な図面符号を使い、反復される詳細な説明は省略する。
【００５３】
実施形態２
【００５４】
図６は本発明の実施形態２に係るデータ処理部のブロック図である。図７は図２に示されたデータ処理部の駆動方法を説明するためのフローチャートである。
【００５５】
図６及び図７を参照すると、データ処理部１０１は、メモリ１１０、メモリ制御部１２０、フレーム反復部１３０、圧縮部１４０、及びデータ補正部１７１を含む。
【００５６】
メモリ１１０は、受信された１２０Ｈｚの映像フレームを保存する（ステップＳ１３１）。メモリ１１０は外部メモリであってもよい。例えば、エスディーラム（ＳＤＲＡＭ）であってもよい。
【００５７】
メモリ制御部１２０は、フレーム反復部１３０及びデータ補正部１７１のデータ処理のためにメモリ１１０のデータ書き込みを制御し、メモリ１１０のデータ読み取りを制御する。
【００５８】
フレーム反復部１３０は、メモリ１１０に保存されたデータを利用して受信された１２０Ｈｚの映像フレームを反復させて２４０Ｈｚの映像フレームを出力する（ステップＳ１３２）。
【００５９】
圧縮部１４０は、２４０Ｈｚの映像フレームを圧縮してメモリ１１０に保存する（ステップＳ１３３）。圧縮部１４０によって圧縮されたデータは、データ補正部１７１で基準データとして用いられる。このときの圧縮による微細なデータの損失は、データ補正部１７１のデータ処理結果に大きな影響を及ぼさない。一方、データの圧縮によってメモリ１１０のデータレート（ｄａｔａ  ｒａｔｅ）を減少させることができる。例えば、圧縮部１４０が映像フレームのデータのビット数を約１／３に圧縮する場合、圧縮されていない実施形態1のデータレートよりもデータレートを約４／５減少させることができる。
【００６０】
データ補正部１７１は、補正データがテーブル形態で保存されたルックアップテーブルを含む。データ補正部１７１は、フレーム反復部１３０から受信された現在の映像フレームのデータを補正するために、メモリ１１０に保存された以前の映像フレームの圧縮データを受信する。データ補正部１７１は、圧縮データをオリジナルのビット数（ｏｒｉｇｉｎａｌ  ｂｉｔｓ）を有するオリジナルデータに復元した後、復元されたデータを、現在のフレームのデータの基準データとして用いる。データ補正部１７１は、現在の映像フレームのデータを復元されたデータを基準として、ルックアップテーブルに保存されたオーバードライビングされたデータ、または、アンダードライビングされたデータに補正する（ステップＳ１３４）。
【００６１】
図８及び図９は、図６に示されたデータ処理部の入出力データのタイミング図である。図８及び図９の横軸（ｘ軸）は時間であり、縦軸（ｙ軸）は入出力データを示す。図９の横軸は図８の横軸に連続する時間を示す。
【００６２】
図６及び図８を参照すると、映像フレームが１１２０水平ラインのデータを有するｎ番目の映像フレームｎ ＦＲＡＭＥが受信される場合を例としてデータ処理部の動作を説明する。
【００６３】
メモリ制御部１２０は、メモリ１１０の読み取り及び書き込みを制御してフレーム反復部１３０及びデータ補正部１７０にデータを供給する。
【００６４】
例えば、ｎ番目の映像フレームｎ ＦＲＡＭＥの１番目のラインデータＬＤ１が入力される第１水平区間Ｈ１の間、メモリ制御部１２０は、第１水平区間Ｈ１を六つのサブ区間Ｔ１、Ｔ２、Ｔ３、Ｔ４、Ｔ５、Ｔ６に分けてメモリ１１０の読み取り及び書き込みを制御する。
【００６５】
メモリ制御部１２０は、第１サブ区間Ｔ１には、ｎ‐１番目の映像フレームｎ‐１ ＦＲＡＭＥの１番目のラインデータＬＤ１を読み取ってフレーム反復部１３０及びデータ補正部１７１に供給する。
【００６６】
メモリ制御部１２０は、第２サブ区間Ｔ２には、ｎ‐２番目の映像フレームｎ‐２ ＦＲＡＭＥの圧縮された１番目のラインデータＬｄｄ１を読み取ってデータ補正部１７１に供給する。
【００６７】
メモリ制御部１２０は、第３サブ区間Ｔ３には、ｎ‐１番目の映像フレームｎ‐１ ＦＲＡＭＥの２番目のラインデータＬＤ２を読み取って、フレーム反復部１３０及びデータ補正部１７１に供給する。
【００６８】
メモリ制御部１２０は、第４サブ区間Ｔ４には、ｎ‐２番目の映像フレームｎ‐２ ＦＲＡＭＥの圧縮された２番目のラインデータＬｄｄ２を読み取ってデータ補正部１７１に供給する。
【００６９】
メモリ制御部１２０は、第５サブ区間Ｔ５には、第１〜第４サブ区間Ｔ１ 〜 Ｔ４の間、ｎ番目の映像フレームｎ ＦＲＡＭＥのバッファリングされた１番目のラインデータＬＤ１をメモリ１１０に記録する。
【００７０】
メモリ制御部１２０は、第６サブ区間Ｔ６には、ｎ番目の映像フレームｎ ＦＲＡＭＥの圧縮された１番目のラインデータＬｄｄ１をメモリ１１０に記録する。
【００７１】
フレーム反復部１３０は、第１サブ区間Ｔ１及び第３サブ区間Ｔ３に、読み取ったｎ‐１番目の映像フレームｎ‐１ ＦＲＡＭＥの１番目のラインデータＬＤ１と２番目のラインデータＬＤ２を受信する。フレーム反復部１３０は、第１水平区間Ｈ１の間、ｎ‐１番目の映像フレームｎ‐１ ＦＲＡＭＥの１番目のラインデータＬＤ１及び２番目のラインデータＬＤ２を出力する。
【００７２】
データ補正部１７１は、第２サブ区間Ｔ２に、読み取ったｎ‐２番目の映像フレームｎ‐２ ＦＲＡＭＥの圧縮された１番目のラインデータＬｄｄ１を、オリジナルデータに復元する。データ補正部１７１は、復元されたｎ‐２番目の映像フレームｎ‐２ ＦＲＡＭＥの１番目のラインデータを基準データとして、第１サブ区間Ｔ１に読み取ったｎ‐１番目フレームの１番目のラインデータＬＤ１を補正する。
【００７３】
データ補正部１７１は、第４サブ区間Ｔ４に読み取ったｎ‐２番目の映像フレームｎ‐２ＦＲＡＭＥの圧縮された２番目のラインデータＬｄｄ２を、オリジナルデータに復元する。データ補正部１７１は、復元されたｎ‐２番目の映像フレームｎ‐２ ＦＲＡＭＥの２番目のラインデータを基準データとして、第３サブ区間Ｔ３に読み取ったｎ‐１番目の映像フレームの２番目のラインデータＬＤ２を補正する。
【００７４】
第１、第３及び第５サブ区間のバンド幅と第２、第４及び第６区間のバンド幅は異なり、圧縮部１４０の圧縮比率に応じて適用される。
【００７５】
このような方式で、ｎ番目の映像フレームｎ ＦＲＡＭＥの２番目のラインデータＬＤ２が入力される第２水平区間Ｈ２に、データ補正部１７１は、ｎ‐１番目の映像フレームｎ‐１ ＦＲＡＭＥの３番目のラインデータＬＤ３及び４番目のラインデータＬＤ４を補正して出力する。
【００７６】
したがって、ｎ番目の映像フレームｎ ＦＲＡＭＥのうち中間に相当する５６０番目のラインデータが入力される第５６０水平区間に、データ補正部１７１は、ｎ‐１番目の映像フレームｎ‐１ ＦＲＡＭＥの１１１９番目のラインデータ及び１１２０番目のラインデータを補正して出力する。すなわち、ｎ番目の映像フレームｎ ＦＲＡＭＥが入力される第ｎフレーム区間ｎ  ＦＰの前半の１／２区間の間、データ処理部１０１は補正されたｎ‐１番目の映像フレームｎ‐１ ＦＲＡＭＥを出力する。
【００７７】
図９を参照すると、第ｎフレーム区間ｎ  ＦＰの後半の１／２区間の間、データ処理部１０１は、補正されたｎ‐１番目の映像フレームｎ‐１ ＦＲＡＭＥをもう一度出力する。
【００７８】
これによって、データ処理部１０１は、第ｎフレーム区間ｎ  ＦＰの間、２つの補正されたｎ‐１番目の映像フレームｎ‐１ ＦＲＡＭＥを出力することができる。結果的にデータ処理部１０１は１２０Ｈｚの映像フレームを２４０Ｈｚの映像フレームで出力する。
【００７９】
実施形態３
【００８０】
図１０は、本発明の実施形態３に係るデータ処理部のブロック図である。図１１は図１０に示されたデータ処理部の駆動方法を説明するためのフローチャートである。
【００８１】
図１０及び図１１を参照すると、データ処理部１０２は、第１メモリ１１１、メモリ制御部１２１、フレーム反復部１３０、第２メモリ１５０、圧縮／制御部１６０、及びデータ補正部１７１を含む。
【００８２】
第１メモリ１１１は、受信された１２０Ｈｚの映像フレームを保存する（ステップＳ１４１）。第１メモリ１１１は外部メモリであってもよい。例えば、エスディーラム（ＳＤＲＡＭ）であってもよい。
【００８３】
メモリ制御部１２１は、フレーム反復部１３０のデータ処理のために第１メモリ１１１のデータ書き込みを制御し、第１メモリ１１１のデータ読み取りを制御する。
【００８４】
フレーム反復部１３０は、第１メモリ１１１に保存されたデータを利用して１２０Ｈｚの映像フレームを反復させて２４０Ｈｚの映像フレームを出力する（ステップＳ１４２）。
【００８５】
第２メモリ１５０は、データ補正部１７１のデータ処理のために圧縮された２４０Ｈｚの映像フレームを保存する。第２メモリ１５０はｅＤＲＡＭであってもよい。
【００８６】
圧縮／制御部１６０は、フレーム反復部１３０から供給された２４０Ｈｚの映像フレームを圧縮して第２メモリ１５０に保存する（ステップＳ１４３）。圧縮／制御部１６０は、データ補正部１７１のデータ処理のために第２メモリ１５０のデータ書き込みを制御し、第２メモリ１５０のデータ読み取りを制御する。
【００８７】
データ補正部１７１は、補正データがテーブル形態で保存されたルックアップテーブルを含む。データ補正部１７１は、フレーム反復部１３０から受信された現在の映像フレームのデータを補正するために、第２メモリ１５０に保存された以前の映像フレームの圧縮データを受信する。データ補正部１７１は、圧縮データをオリジナルのビット数を有するオリジナルデータに復元した後、復元したデータを現在の映像フレームのデータの基準データとして用いる。データ補正部１７１は、受信された現在のフレームのデータを、復元されたデータを基準として、ルックアップテーブルに保存されたオーバードライビングされたデータ、または、アンダードライビングされたデータに補正する（ステップＳ１４４）。
【００８８】
本実施形態によると、データ補正部１７１のデータ処理のために別途の第２メモリ１５０を用いることによって、第１メモリ１１１はフレーム反復部１３０のデータ処理のためにだけ用いることができる。これによって、第１メモリ１１１のデータレートを減少させることができる。また、第２メモリ１５０に圧縮されたデータを保存することによって第２メモリ１５０のサイズを減らすことができる。
【００８９】
図１２及び図１３は、図１０に示されたデータ処理部の入出力データのタイミング図である。図１２及び図１３の横軸（ｘ軸）は時間であり、縦軸（ｙ軸）は入出力データを示す。図１３の横軸は図１２の横軸に連続する時間を示す。
【００９０】
図１０及び図１２を参照すると、映像フレームが１１２０水平ラインのデータを有するｎ番目の映像フレームｎ ＦＲＡＭＥが受信される場合を例としてデータ処理部の動作を説明する。
【００９１】
メモリ制御部１２１は、第１メモリ１１１の読み取り及び書き込みを制御してフレーム反復部１３０にデータを供給する。
【００９２】
例えば、ｎ番目の映像フレームｎ ＦＲＡＭＥの１番目のラインデータが入力される第１水平区間Ｈ１の間、メモリ制御部１２１は、第１水平区間Ｈ１を三つのサブ区間Ｔ１１、Ｔ１２、Ｔ１３に分けて第１メモリ１１１の読み取り及び書き込みを制御する。
【００９３】
メモリ制御部１２１は、第１サブ区間Ｔ１１にはｎ‐１番目の映像フレームｎ‐１ ＦＲＡＭＥの１番目のラインデータＬＤ１を読み取ってフレーム反復部１３０に供給する。
【００９４】
メモリ制御部１２１は、第２サブ区間Ｔ１２にはｎ‐１番目の映像フレームｎ‐１ ＦＲＡＭＥの２番目のラインデータＬＤ２を読み取ってフレーム反復部１３０に供給する。
【００９５】
メモリ制御部１２１は、第３サブ区間Ｔ１３には、第１及び第２サブ区間Ｔ１１、Ｔ１２の間にバッファリングされたｎ番目の映像フレームｎ ＦＲＡＭＥの１番目のラインデータＬＤ１を第１メモリ１１１に記録する。
【００９６】
フレーム反復部１３０は、第１サブ区間Ｔ１１及び第２サブ区間Ｔ１２に読み取ったｎ‐１番目の映像フレームｎ‐１ ＦＲＡＭＥの１番目のラインデータＬＤ１と２番目のラインデータＬＤ２を受信する。フレーム反復部１３０は第１水平区間Ｈ１の間、ｎ‐１番目の映像フレームｎ‐１ ＦＲＡＭＥの１番目のラインデータＬＤ１及び２番目のラインデータＬＤ２を出力する。
【００９７】
一方、圧縮／制御部１６０は、フレーム反復部１３０から供給された映像フレームを圧縮する。以後、圧縮／制御部１６０は第２メモリ１５０に圧縮されたデータの書き込み及び第２メモリ１５０に保存された圧縮されたデータの読み取りを制御する。
【００９８】
例えば、ｎ番目の映像フレームｎ ＦＲＡＭＥの１番目のラインデータが入力される第１水平区間Ｈ１の間、圧縮／制御部１６０は第１水平区間Ｈ１を四つのサブ区間Ｔ２１、Ｔ２２、Ｔ２３、Ｔ２４に分けて第２メモリ１５０の読み取り及び書き込み制御する。
【００９９】
圧縮／制御部１６０は第１サブ区間Ｔ２１には、ｎ‐２番目の映像フレームｎ‐２ ＦＲＡＭＥの圧縮された１番目のラインデータＬｄｄ１を読み取ってデータ補正部１７１に供給する。
【０１００】
圧縮／制御部１６０は第２サブ区間Ｔ２１には、ｎ‐１番目の映像フレームｎ‐１ ＦＲＡＭＥの圧縮された１番目のラインデータＬｄｄ１を第２メモリ１５０に記録する。
【０１０１】
圧縮／制御部１６０は第３サブ区間Ｔ２３には、ｎ‐２番目の映像フレームｎ‐２ ＦＲＡＭＥの圧縮された２番目のラインデータＬｄｄ２を読み取ってデータ補正部１７１に供給する。
【０１０２】
圧縮／制御部１６０は第４サブ区間Ｔ２４には、ｎ‐１番目の映像フレームｎ‐１ ＦＲＡＭＥの圧縮された２番目のラインデータＬｄｄ２を第２メモリ１５０に記録する。
【０１０３】
データ補正部１７１は第１サブ区間Ｔ２１に読み取ったｎ‐２番目の映像フレームｎ‐２ＦＲＡＭＥの圧縮された１番目のラインデータＬｄｄ１を、オリジナルデータに復元する。データ補正部１７１は、復元されたｎ‐２番目の映像フレームｎ‐２ ＦＲＡＭＥの１番目のラインデータを基準データとして、受信されたｎ‐１番目の映像フレームｎ‐１ＦＲＡＭＥの１番目のラインデータＬＤ１を補正する。
【０１０４】
データ補正部１７１は、第３サブ区間Ｔ２３に読み取ったｎ‐２番目の映像フレームｎ‐２ ＦＲＡＭＥの圧縮された２番目のラインデータＬｄｄ２を、オリジナルデータに復元する。データ補正部１７１は、復元されたｎ‐２番目の映像フレームｎ‐２ ＦＲＡＭＥの２番目のラインデータを基準データとして、受信されたｎ‐１番目の映像フレームｎ‐２ ＦＲＡＭＥの２番目のラインデータＬＤ２を補正する。
【０１０５】
このような方式で、ｎ番目の映像フレームｎ ＦＲＡＭＥの２番目のラインデータＬＤ２が入力される第２水平区間Ｈ２に、データ補正部１７１はｎ‐１番目の映像フレームｎ‐１ ＦＲＡＭＥの３番目のラインデータＬＤ３及び４番目のラインデータＬＤ４を補正して出力する。
【０１０６】
したがって、ｎ番目の映像フレームｎ ＦＲＡＭＥのうち中間に相当する５６０番目のラインデータが入力される第５６０水平区間に、データ補正部１７１は、ｎ‐１番目の映像フレームｎ‐１ ＦＲＡＭＥの１１１９番目のラインデータ及び１１２０番目のラインデータを補正して出力する。すなわち、ｎ番目の映像フレームｎ ＦＲＡＭＥが入力される第ｎフレーム区間ｎ  ＦＰの前半の１／２区間の間、データ処理部１０２は補正されたｎ‐１番目の映像フレームｎ‐１ ＦＲＡＭＥを出力する。
【０１０７】
図１３を参照すると、第ｎフレーム区間ｎ  ＦＰの後半の１／２区間の間、データ処理部１０２は補正されたｎ‐１番目の映像フレームｎ‐１ ＦＲＡＭＥをもう一度出力する。
【０１０８】
これによって、データ処理部１０２は第ｎフレーム区間ｎ  ＦＰの間、２つの補正されたｎ‐１番目の映像フレームｎ‐１ ＦＲＡＭＥを出力することができる。結果的にデータ処理部１０２は１２０Ｈｚの映像フレームを２４０Ｈｚの映像フレームで出力する。
【０１０９】
実施形態４
【０１１０】
図１４は本発明の実施形態４に係るデータ処理部のブロック図である。図１５は、図１４に示されたデータ処理部の駆動方法を説明するためのフローチャートである。
【０１１１】
図１４及び図１５を参照すると、データ処理部２００は、メモリ２１０、メモリ制御部２２０、データ補正部２３０、及びフレーム反復部２７０を含む。
【０１１２】
データ処理部２００は１２０Ｈｚの映像フレームを受信する。
【０１１３】
メモリ２１０は、受信された映像フレーム及びデータ補正部２３０で補正された映像フレームを保存する。メモリ２１０は外部メモリであってもよい。例えば、エスディーラム（ＳＤＲＡＭ）であってもよい。
【０１１４】
メモリ制御部２２０は、データ補正部２３０及びフレーム反復部２７０のデータ処理のために、メモリ２１０のデータ書き込みを制御し、メモリ２１０のデータ読み取りを制御する。
【０１１５】
データ補正部２３０は、補正データがテーブル形態で保存されたルックアップテーブルを含む。データ補正部２３０は、現在のフレームに受信された映像フレームのデータを、メモリ２１０に保存された以前のフレームのデータを基準として、ルックアップテーブルに保存されたオーバードライビングされたデータ、または、アンダードライビングされたデータに補正する（ステップＳ１５１）。データ補正部２３０は、補正された映像フレームのデータをメモリ２１０に保存する（ステップＳ１５２）。
【０１１６】
フレーム反復部２７０は、データ補正部２３０で補正された映像フレームデータを、メモリ２１０を用いて反復させて２４０Ｈｚの映像フレームで出力する（ステップＳ１５３）。
【０１１７】
例えば、３次元モードでデータ補正部２３０は、１２０Ｈｚの左眼映像フレーム（または、右眼映像フレーム）を、メモリ２１０に保存された以前のフレームの右眼映像フレーム（または、左眼映像フレーム）を利用して補正する。データ補正部２３０は、補正された１２０Ｈｚの左眼映像フレーム及び右眼映像フレームを出力する。フレーム反復部２７０は、補正された１２０Ｈｚの左眼映像フレーム（または、右眼映像フレーム）を、メモリ２１０を利用して反復させる。フレーム反復部２７０は、補正された２４０Ｈｚの第１左眼映像フレーム、第２左眼映像フレーム、第１右眼映像フレーム、及び第２右眼映像フレームを出力する。
【０１１８】
一方、２次元モードでデータ補正部２３０は、１２０Ｈｚのオリジナル映像フレーム（または、補間映像フレーム）を、メモリ２１０に保存された以前のフレームの補間映像フレーム（または、オリジナル映像フレーム）を用いて補正する。データ補正部２３０は、補正された１２０Ｈｚのオリジナル映像フレーム及び補間映像フレームを出力する。フレーム反復部２７０は、補正された１２０Ｈｚのオリジナル映像フレーム（または、補間映像フレーム）を、メモリ２１０を利用して反復させる。フレーム反復部２７０は、補正された２４０Ｈｚの第１オリジナル映像フレーム、第２オリジナル映像フレーム、第１補間映像フレーム、及び第２補間映像フレームを出力する。
【０１１９】
図１６及び図１７は、図１４に図示されたデータ処理部の入出力データのタイミング図である。図１６及び図１７の横軸（ｘ軸）は時間であり、縦軸（ｙ軸）は入出力データを示す。図１７の横軸は図１６の横軸に連続する時間を示す。
【０１２０】
図１４及び図１６を参照すると、映像フレームが１１２０水平ラインのデータを有するｎ番目の映像フレームｎ ＦＲＡＭＥが受信される場合を例としてデータ処理部の動作を説明する。
【０１２１】
メモリ制御部２２０は、メモリ２１０の読み取り及び書き込みを制御してデータ補正部２３０及びフレーム反復部２７０にデータを供給する。
【０１２２】
例えば、ｎ番目の映像フレームｎ ＦＲＡＭＥの１番目のラインデータＬＤ１が入力される第１水平区間Ｈ１の間、メモリ制御部２２０は、第１水平区間Ｈ１を五つのサブ区間Ｔ１、Ｔ２、Ｔ３、Ｔ４、Ｔ５に分けてメモリ２１０の読み取り及び書き込みを制御する。
【０１２３】
メモリ制御部２２０は、第１サブ区間Ｔ１にはｎ‐１番目の映像フレームｎ‐１ ＦＲＡＭＥの１番目のラインデータＬＤ１を読み取ってデータ補正部２３０に供給する。
【０１２４】
メモリ制御部２２０は、第２サブ区間Ｔ２には補正されたｎ‐１番目の映像フレームｎ‐１ ＦＲＡＭＥの１番目のラインデータｃＬＤ１を読み取ってフレーム反復部２７０に供給する。
【０１２５】
メモリ制御部２２０は、第３サブ区間Ｔ３には補正されたｎ‐１番目の映像フレームｎ‐１ ＦＲＡＭＥの２番目のラインデータｃＬＤ２を読み取ってフレーム反復部２７０に供給する。
【０１２６】
メモリ制御部２２０は、第４サブ区間Ｔ３には第１〜第３サブ区間Ｔ１ 〜 Ｔ３の間、バッファリングされたｎ番目の映像フレームｎ ＦＲＡＭＥの１番目のラインデータＬＤ１をメモリ２１０に記録する。
【０１２７】
メモリ制御部２２０は、第５サブ区間Ｔ５には補正されたｎ番目の映像フレームｎ ＦＲＡＭＥの１番目のラインデータｃＬＤ１をメモリ２１０に記録する。
【０１２８】
データ補正部２３０は、第１サブ区間Ｔ１に読み取ったｎ‐１番目の映像フレームｎ‐１ＦＲＡＭＥの１番目のラインデータＬＤ１を基準データとして、ｎ番目の映像フレームｎ ＦＲＡＭＥの１番目のラインデータＬＤ１を補正する。データ補正部２３０は、補正されたｎ番目の映像フレームｎ ＦＲＡＭＥの１番目のラインデータｃＬＤ１を、第５サブ区間Ｔ５にメモリ２１０に記録する。
【０１２９】
フレーム反復部２７０は、第２サブ区間Ｔ２及び第３サブ区間Ｔ３に、読み取り補正されたｎ‐１番目の映像フレームｎ‐１ ＦＲＡＭＥの１番目のラインデータｃＬＤ１及び２番目のラインデータｃＬＤ２を受信する。フレーム反復部２７０は、第１水平区間Ｈ１の間、補正されたｎ‐１番目の映像フレームｎ‐１ ＦＲＡＭＥの１番目のラインデータｃＬＤ１及び２番目のラインデータｃＬＤ２を出力する。
【０１３０】
このような方式で、ｎ番目の映像フレームｎ ＦＲＡＭＥの２番目のラインデータＬＤ２が入力される第２水平区間Ｈ２に、フレーム反復部２７０は補正されたｎ‐１番目の映像フレームｎ‐１ ＦＲＡＭＥの３番目のラインデータｃＬＤ３及び４番目のラインデータｃＬＤ４を出力する。
【０１３１】
したがって、ｎ番目の映像フレームｎ ＦＲＡＭＥのうち中間に相当する５６０番目のラインデータが入力される第５６０水平区間に、フレーム反復部２７０は補正されたｎ‐１番目の映像フレームｎ‐１ ＦＲＡＭＥの１１１９番目のラインデータ及び１１２０番目のラインデータを出力する。すなわち、ｎ番目の映像フレームｎ ＦＲＡＭＥが入力される第ｎフレーム区間ｎ  ＦＰの前半の１／２区間の間、データ処理部２００は、補正されたｎ‐１番目の映像フレームｎ‐１ ＦＲＡＭＥを出力する。
【０１３２】
図１７を参照すると、第ｎフレーム区間ｎ  ＦＰの後半の1／2区間の間、データ処理部２００は補正されたｎ‐１番目の映像フレームｎ‐１ ＦＲＡＭＥをもう一度出力する。
【０１３３】
これによって、第ｎフレーム区間ｎ  ＦＰの間、２つの補正されたｎ‐１番目の映像フレームｎ‐１ ＦＲＡＭＥを出力することができる。結果的にデータ処理部２００は１２０Ｈｚの映像フレームを２４０Ｈｚの映像フレームで出力する。
【０１３４】
実施形態５
【０１３５】
図１８は本発明の実施形態５に係るデータ処理部のブロック図である。図１９は図１８に示されたデータ処理部の駆動方法を説明するためのフローチャートである。
【０１３６】
図１８及び図１９を参照すると、データ処理部２０１はメモリ２１０、メモリ制御部２２０、圧縮部２４０、データ補正部２３１及びフレーム反復部２７０を含む。
【０１３７】
データ処理部２０１は１２０Ｈｚの映像フレームを受信する。
【０１３８】
メモリ２１０は、圧縮部２４０で圧縮された映像フレーム及びデータ補正部２３１で補正された映像フレームを保存する。 メモリ２１０は外部メモリであってもよい。例えば、エスディーラム（ＳＤＲＡＭ）であってもよい。
【０１３９】
メモリ制御部２２０は、データ補正部２３１及びフレーム反復部２７０のデータ処理のために、メモリ２１０のデータ書き込みを制御し、メモリ２１０のデータ読み取りを制御する。
【０１４０】
圧縮部２４０は、データ補正部２３１のデータ処理のために用いられる基準データである映像フレームのデータを圧縮し、圧縮されたデータをメモリ２１０に保存する（ステップＳ１６１）。このとき、圧縮による微細なデータの損失は、データ補正部２３１のデータ処理結果に大きな影響を及ぼさない。一方、データの圧縮によってメモリ２１０のデータレートを減少させることができる。
【０１４１】
データ補正部２３１は、補正データがテーブル形態で保存されたルックアップテーブルを含み、圧縮されたデータをオリジナルのビット数を有するオリジナルデータに復元する。データ補正部２３１は、受信された現在の映像フレームのデータを補正するためにメモリ２１０に保存された以前の映像フレームの圧縮データを受信する。データ補正部２３１は圧縮データをオリジナルのビット数を有するオリジナルデータに復元した後、現在の映像フレームのデータの基準データとして用いる。データ補正部２３１は、現在の映像フレームのデータを、復元された以前の映像フレームのデータを基準データとして、ルックアップテーブルに保存されたオーバードライビングされたデータ、または、アンダードライビングされたデータに補正する（ステップＳ１６２）。
【０１４２】
フレーム反復部２７０は、データ補正部２３１に補正された１２０Ｈｚの映像フレームを、メモリ２１０を利用して反復させて、２４０Ｈｚの映像フレームを生成して出力する(ステップＳ１６３).
【０１４３】
図２０及び図２１は、図１８に示されたデータ処理部の入出力データのタイミング図である。図２０及び図２１の横軸（ｘ軸）は時間であり、縦軸（ｙ軸）は入出力データを示す。図２１の横軸は図２０の横軸に連続する時間を示す。
【０１４４】
図１８及び図２０を参照すると、映像フレームが１１２０水平ラインのデータを有するｎ番目の映像フレームｎ ＦＲＡＭＥが受信される場合を例としてデータ処理部の動作を説明する。
【０１４５】
メモリ制御部２２０は、メモリ２１０の読み取り及び書き込みを制御してデータ補正部２３１及びフレーム反復部２７０にデータを供給する。
【０１４６】
例えば、ｎ番目の映像フレームｎ ＦＲＡＭＥの１番目のラインデータＬＤ１が入力される第１水平区間Ｈ１の間、メモリ制御部２２０は第１水平区間Ｈ１を五つのサブ区間Ｔ１、Ｔ２、Ｔ３、Ｔ４、Ｔ５に分けてメモリ２１０の読み取り及び書き込みを制御する。
【０１４７】
メモリ制御部２２０は、第１サブ区間Ｔ１には、ｎ‐１番目の映像フレームｎ‐１ ＦＲＡＭＥの圧縮された１番目のラインデータＬｄｄ１を読み取ってデータ補正部２３１に供給する。
【０１４８】
メモリ制御部２２０は、第２サブ区間Ｔ２には、ｎ‐１番目の映像フレームｎ‐１ ＦＲＡＭＥの補正された１番目のラインデータｃＬＤ１を読み取ってフレーム反復部２７０に供給する。
【０１４９】
メモリ制御部２２０は、第３サブ区間Ｔ３には、ｎ‐１番目の映像フレームｎ‐１ ＦＲＡＭＥの補正された２番目のラインデータｃＬＤ２を読み取ってフレーム反復部２７０に供給する。
【０１５０】
メモリ制御部２２０は、第４サブ区間Ｔ３には、ｎ番目の映像フレームｎ ＦＲＡＭＥの圧縮された１番目のラインデータＬｄｄ１をメモリ２１０に記録する。
【０１５１】
メモリ制御部２２０は、第５サブ区間Ｔ５には、ｎ番目の映像フレームｎ ＦＲＡＭＥの補正された１番目のラインデータｃＬＤ１をメモリ２１０に記録する。
【０１５２】
データ補正部２３１は、第１サブ区間Ｔ１に読み取ったｎ‐１番目の映像フレームｎ‐１ＦＲＡＭＥの圧縮された１番目のラインデータＬｄｄ１を、オリジナルデータに復元する。データ補正部２３１は、復元されたｎ‐１番目の映像フレームｎ‐１ ＦＲＡＭＥの１番目のラインデータを基準データとして、ｎ番目の映像フレームｎ ＦＲＡＭＥの１番目のラインデータＬＤ１を補正する。データ補正部２３１は、補正されたｎ番目の映像フレームｎ ＦＲＡＭＥの１番目のラインデータｃＬＤ１を第５サブ区間Ｔ５にメモリ２１０に記録する。
【０１５３】
フレーム反復部２７０は、第２サブ区間Ｔ２及び第３サブ区間Ｔ３に読み取って補正されたｎ‐１番目の映像フレームｎ‐１ ＦＲＡＭＥの１番目のラインデータｃＬＤ１及び２番目のラインデータｃＬＤ２を受信する。フレーム反復部２７０は第１水平区間Ｈ１に補正されたｎ‐１番目の映像フレームｎ‐１ ＦＲＡＭＥの１番目のラインデータｃＬＤ１及び２番目のラインデータｃＬＤ２を出力する。
【０１５４】
このような方式で、ｎ番目の映像フレームｎ ＦＲＡＭＥの２番目のラインデータＬＤ２が入力される第２水平区間Ｈ２に、フレーム反復部２７０は、補正されたｎ‐１番目の映像フレームｎ‐１ ＦＲＡＭＥの３番目のラインデータｃＬＤ３及び４番目のラインデータｃＬＤ４を出力する。
【０１５５】
したがって、ｎ番目の映像フレームｎ ＦＲＡＭＥのうち中間に相当する５６０番目のラインデータが入力される第５６０水平区間にフレーム反復部２７０は補正されたｎ‐１番目の映像フレームｎ‐１ ＦＲＡＭＥの１１１９番目のラインデータ及び１１２０番目のラインデータを出力する。すなわち、ｎ番目の映像フレームｎ ＦＲＡＭＥが入力される第ｎフレーム区間ｎ  ＦＰの前半の１／２区間の間、データ処理部２０１は補正されたｎ‐１番目の映像フレームｎ‐１ ＦＲＡＭＥを出力する。
【０１５６】
図２１を参照すると、第ｎフレーム区間ｎ  ＦＰの後半の１／２区間の間、データ処理部２０１は補正されたｎ‐１番目の映像フレームｎ‐１ ＦＲＡＭＥをもう一度出力する。
【０１５７】
これによって、第ｎフレーム区間ｎ  ＦＰの間、２つの補正されたｎ‐１番目の映像フレームｎ‐１ ＦＲＡＭＥを出力することができる。結果的にデータ処理部２０１は１２０Ｈｚの映像フレームを２４０Ｈｚの映像フレームとして出力する。
【０１５８】
実施形態６
【０１５９】
図２２は、本発明の実施形態６に係るデータ処理部のブロック図である。図２３は図２２に示されたデータ処理部の駆動方法を説明するためのフローチャートである。
【０１６０】
図２２及び図２３を参照すると、データ処理部２０２は、第１メモリ２１１、圧縮／制御部２２１、データ補正部２３１、第２メモリ２５０、メモリ制御部２６０、及びフレーム反復部２７０を含む。
【０１６１】
データ処理部２０２は１２０Ｈｚの映像フレームを受信する。
【０１６２】
第１メモリ２１１は圧縮された映像フレームを保存する（ステップＳ１７１）。第１メモリ２１１はｅＤＲＡＭであってもよい。
【０１６３】
圧縮／制御部２２１は受信された映像フレームを圧縮して第１メモリ２１１に保存する。圧縮／制御部２２１はデータ補正部２３１のデータ処理のために第１メモリ２１１のデータ書き込みを制御し、第１メモリ２１１のデータ読み取りを制御する。
【０１６４】
データ補正部２３１は補正データがテーブル形態で保存されたルックアップテーブルを含み、圧縮されたデータをオリジナルのビット数を有するオリジナルデータに復元する。データ補正部２３１は受信された現在の映像フレームのデータを補正するために、第１メモリ２１１に保存された以前の映像フレームの圧縮データを受信する。データ補正部２３１は、圧縮データをオリジナルのビット数を有するオリジナルデータに復元した後、現在の映像フレームのデータの基準データとして用いる。データ補正部２３１は、現在の映像フレームのデータを復元された以前の映像フレームのデータを基準データとして、ルックアップテーブルに保存されるオーバードライビングされたデータ、または、アンダードライビングされたデータに補正する（ステップＳ１７２）。
【０１６５】
第２メモリ２５０は、補正された映像フレームを保存する(ステップＳ１７３)。
【０１６６】
メモリ制御部２６０は、フレーム反復部２７０のデータ処理のために第２メモリ２５０のデータ書き込みを制御し、第２メモリ２５０のデータ読み取りを制御する。
【０１６７】
フレーム反復部２７０は、第２メモリ２５０に保存された補正された１２０Ｈｚの映像フレームを反復させて、２４０Ｈｚの映像フレームで出力する（ステップＳ１７４）。
【０１６８】
図２４及び図２５は、図２２に示されたデータ処理部の入出力データのタイミング図である。図２４及び図２５の横軸（x軸）は時間であり、縦軸（y軸）は入出力データを示す。図２５の横軸は図２４の横軸に連続する時間を示す。
【０１６９】
図２２及び図２４を参照すると、映像フレームが１１２０水平ラインのデータを有するｎ番目の映像フレームｎ ＦＲＡＭＥが受信される場合を例としてデータ処理部の動作を説
明する。
【０１７０】
圧縮／制御部２２１は、第１メモリ２１１の読み取り及び書き込みを制御してデータ補正部２３１にデータを供給する。
【０１７１】
例えば、ｎ番目の映像フレームｎ ＦＲＡＭＥの１番目のラインデータが入力される第１水平区間Ｈ１の間、圧縮／制御部２２１は第１水平区間Ｈ１を二つのサブ区間Ｔ１１、Ｔ１２に分けて第１メモリ２１１の読み取り及び書き込みを制御する。
【０１７２】
圧縮／制御部２２１は、第１サブ区間Ｔ１１には、ｎ‐１番目の映像フレームｎ‐１ ＦＲＡＭＥの圧縮された１番目のラインデータＬｄｄ１を読み取ってデータ補正部２３１に供給する。
【０１７３】
圧縮／制御部２２１は、第２サブ区間Ｔ１２には、ｎ番目の映像フレームｎ ＦＲＡＭＥの圧縮された１番目のラインデータＬｄｄ１を第１メモリ２１１に記録する。
【０１７４】
データ補正部２３１は、ｎ‐１番目の映像フレームｎ‐１ ＦＲＡＭＥの圧縮された１番目のラインデータＬｄｄ１を、オリジナルデータに復元する。データ補正部２３１は、復元されたｎ‐１番目の映像フレームｎ‐１ ＦＲＡＭＥの１番目のラインデータを基準データとして、現在のｎ番目の映像フレームｎ ＦＲＡＭＥの１番目のラインデータＬＤ１を補正する。データ補正部２３１は、補正されたｎ番目の映像フレームｎ ＦＲＡＭＥの１番目のラインデータｃＬＤ１を出力する。
【０１７５】
一方、メモリ制御部２６０は、第２メモリ２５０に補正された映像フレームのデータの書き込み及び第２メモリ２５０に保存された補正されたデータの読み取りを制御する。
【０１７６】
例えば、ｎ番目の映像フレームｎ ＦＲＡＭＥの１番目のラインデータが入力される第１水平区間Ｈ１の間、メモリ制御部２６０は第１水平区間Ｈ１を三つのサブ区間Ｔ２１、Ｔ２２、Ｔ２３に分けて第２メモリ２５０の読み取り及び書き込みを制御する。
【０１７７】
メモリ制御部２６０は、第１サブ区間Ｔ２１には補正されたｎ‐１番目の映像フレームｎ‐１ ＦＲＡＭＥの１番目のラインデータｃＬＤ１を読み取ってフレーム反復部２７０に
供給する。
【０１７８】
メモリ制御部２６０は、第２サブ区間Ｔ２１には補正されたｎ‐１番目の映像フレームｎ‐１ ＦＲＡＭＥの２番目のラインデータｃＬＤ２を読み取ってフレーム反復部２７０に供給する。
【０１７９】
メモリ制御部２６０は、第３サブ区間Ｔ２３には補正されたｎ番目の映像フレームｎ ＦＲＡＭＥの１番目のラインデータｃＬＤ１を第２メモリ２５０に記録する。
【０１８０】
フレーム反復部２７０は、第１サブ区間Ｔ２１及び第２サブ区間Ｔ２２に、読み取って補正されたｎ‐１番目の映像フレームｎ‐１ ＦＲＡＭＥの１番目のラインデータｃＬＤ１及び２番目のラインデータｃＬＤ２を受信する。フレーム反復部２７０は、第１水平区間Ｈ１に補正されたｎ‐１番目の映像フレームｎ‐１ ＦＲＡＭＥの１番目のラインデータｃＬＤ１及び２番目のラインデータｃＬＤ２を出力する。
【０１８１】
このような方式で、ｎ番目の映像フレームｎ ＦＲＡＭＥの２番目のラインデータＬＤ２が入力される第２水平区間Ｈ２に、フレーム反復部２７０は補正されたｎ‐１番目の映像フレームｎ‐１ ＦＲＡＭＥの３番目のラインデータｃＬＤ３及び４番目のラインデータｃＬＤ４を出力する。
【０１８２】
したがって、ｎ番目の映像フレームｎ ＦＲＡＭＥのうち中間に相当する５６０番目のラインデータが入力される第５６０水平区間に、フレーム反復部２７０は補正されたｎ‐１番目の映像フレームｎ‐１ ＦＲＡＭＥの１１１９番目のラインデータ及び１１２０番目のラインデータを出力する。すなわち、ｎ番目の映像フレームｎ ＦＲＡＭＥが入力される第ｎフレーム区間ｎ  ＦＰの前半の１／２区間の間、データ処理部２０２は補正されたｎ‐１番目の映像フレームｎ‐１ ＦＲＡＭＥを出力する。
【０１８３】
図２５を参照すると、第ｎフレーム区間ｎ  ＦＰの後半の１／２区間の間、データ処理部２０２は補正されたｎ‐１番目の映像フレームｎ‐１ ＦＲＡＭＥをもう一度出力する。
【０１８４】
これによって、第ｎフレーム区間ｎ  ＦＰの間、２つの補正されたｎ‐１番目の映像フレームｎ‐１ ＦＲＡＭＥを出力することができる。結果的にデータ処理部２０２は１２０Ｈｚの映像フレームを２４０Ｈｚの映像フレームで出力する。
【０１８５】
実施形態７
【０１８６】
図２６は本発明の実施形態７に係る映像表示方法を説明するためのフローチャートである。
【０１８７】
図１及び図２６を参照すると、データ処理部１００は、１２０Ｈｚの映像フレームを受信する（ステップＳ２１１）。データ処理部１００は映像フレームを反復及び補正して、２４０Ｈｚの補正された映像フレームを出力する（ステップＳ２１３）。データ処理部１００は、上述した実施形態１〜実施形態６によって多様に実現される。
【０１８８】
例えば、３次元映像モードではデータ処理部１００は、１２０Ｈｚの左眼映像フレーム及び右眼映像フレームを反復及び補正して、２４０Ｈｚの第１左眼映像フレーム、第２左眼映像フレーム、第１右眼映像フレーム、及び第２右眼映像フレームで出力する。２次元映像モードではデータ処理部１００は、動き検出及び補間技術（ｍｏｔｉｏｎ  ｅｓｔｉｍａｔｉｏｎ  ａｎｄ  ｍｏｔｉｏｎ  ｃｏｍｐｅｎｓａｔｉｏｎ：ＭＥＭＣ）により処理された１２０Ｈｚのオリジナル映像フレーム及び補間映像フレームを受信し、１２０Ｈｚのオリジナル映像フレーム、及び補間映像フレームを反復及び補正して、２４０Ｈｚの第１オリジナル映像フレーム、第２オリジナル映像フレーム、第１補間映像フレーム、及び第２補間映像フレームを生成する。
【０１８９】
パネル制御部４００及びパネル駆動部５００は、データ処理部１００から供給された２４０Ｈｚの映像フレームを表示パネル７００に表示する（ステップＳ２１５）。表示パネル７００は、２４０Ｈｚのフレーム周波数で映像フレームを表示する。
【０１９０】
実施形態８
【０１９１】
図２７は本発明の実施形態８に係る映像表示方法を説明するためのフローチャートである。
【０１９２】
図１及び図２７を参照すると、データ処理部１００は、１２０Ｈｚの映像フレームを受信する（ステップＳ２２１）。３次元映像モードの場合、データ処理部１００は１２０Ｈｚの左眼映像フレーム及び右眼映像フレームを反復及び補正して、２４０Ｈｚの第１左眼映像フレーム、第２左眼映像フレーム、第１右眼映像フレーム、及び第２右眼映像フレームで出力する（ステップＳ２２３）。パネル制御部４００及びパネル駆動部５００は、データ処理部１００から供給された２４０Ｈｚの第１左眼映像フレーム、第２左眼映像フレーム、第１右眼映像フレーム、及び第２右眼映像フレームを表示パネル７００に表示する（ステップＳ２２５）。表示パネル７００は２４０Ｈｚのフレーム周波数で映像フレームを表示する。データ処理部１００は、上述した実施形態１〜実施形態６によって多様に具現される。
【０１９３】
一方、２次元映像モードの場合、データ処理部１００は１２０Ｈｚのオリジナル映像フレーム及び補間映像フレームを反復しない。すなわち、データ処理部１００は、１２０Ｈｚのオリジナル映像フレーム及び補間映像フレームをオーバードライビング、または、アンダードライビングのためのデータに補正して出力する（ステップＳ２２７）。パネル制御部４００及びパネル駆動部５００はデータ処理部１００から供給された１２０Ｈｚの補正
されたオリジナル映像フレーム及び補間映像フレームを表示パネル７００に表示する（ステップＳ２２９）。表示パネル７００は１２０Ｈｚのフレーム周波数で映像フレームを表示する。
【０１９４】
実施形態９
【０１９５】
図２８は本発明の実施形態９に係る表示装置のブロック図である。
【０１９６】
図２８を参照すると、表示装置はデータ処理部１００、ブラック挿入部３００、パネル制御部４００、パネル駆動部５００、及び表示パネル７００を含む。
【０１９７】
データ処理部１００は受信された映像フレームを反復及び補正して複数の映像フレームで出力する。データ処理部１００は、上述した実施形態１〜実施形態６によって多様に具現される。
【０１９８】
ブラック挿入部３００は、３次元映像モードで左眼映像フレームと右眼映像フレームの間にブラック映像フレームを挿入する。 例えば、ブラック挿入部３００は、２４０Ｈｚの第１左眼映像フレーム、第２左眼映像フレーム、第１右眼映像フレーム、及び第２右眼映像フレームにブラック映像フレームを挿入して、２４０Ｈｚの第１左眼映像フレーム、第１ブラック映像フレーム、第１右眼映像フレーム、及び第２ブラック映像フレームを出力する。
【０１９９】
パネル制御部４００はパネル駆動部５００にタイミング信号及び映像データを供給する。
【０２００】
パネル駆動部５００は、データ駆動部５１０及びゲート駆動部５２０を含む。データ駆動部５１０はパネル制御部４００から供給されたデジタル形態の映像データをアナログ形態のデータ電圧に変換し、パネル制御部４００から供給されたデータタイミング信号に基づいて表示パネル７００に供給する。ゲート駆動部５２０はパネル制御部４００から供給されたゲート タイミング信号に基づいて表示パネル７００にゲート信号を供給する。
【０２０１】
表示パネル７００は、複数のデータ配線、データ配線と交差する複数のゲート配線、及び画素電極と電気的に接続されたスイッチング素子を含む複数の画素を含む。データ配線のそれぞれにはデータ駆動部５１０から供給されたデータ電圧が印加され、ゲート配線のそれぞれにはゲート駆動部５２０から供給されたゲート信号が印加され、画素のそれぞれはデータ電圧に対応する映像を表示する。
【０２０２】
図２９は図２８に示された表示装置の映像表示方法を説明するためのフローチャートである。
【０２０３】
図２８及び図２９を参照すると、データ処理部１００は１２０Ｈｚの映像フレームを受信する（ステップＳ２３１）。データ処理部１００は１２０Ｈｚの映像フレームを反復及び補正して２４０Ｈｚの映像フレームで出力する（ステップＳ２３３）。データ処理部１００は上述した実施形態１〜実施形態６によって多様に具現される。
【０２０４】
例えば、３次元映像モードではデータ処理部１００は１２０Ｈｚの左眼映像フレーム及び右眼映像フレームを反復及び補正して２４０Ｈｚの第１左眼映像フレーム、第２左眼映像フレーム、第１右眼映像フレーム、及び第２右眼映像フレームで出力する。２次元映像モードではデータ処理部１００はＭＥＭＣ技術で処理された１２０Ｈｚのオリジナル映像フレーム及び補間映像フレームを受信し、１２０Ｈｚのオリジナル映像フレーム及び補間映像フレームを反復及び補正して、２４０Ｈｚの第１オリジナル映像フレーム、第２オリジナル映像フレーム、第１補間映像フレーム、及び第２補間映像フレームを生成する。
【０２０５】
３次元映像モードの場合、ブラック挿入部３００は、左眼映像フレームと右眼映像フレームとの間にブラック映像フレームを挿入して、第１左眼映像フレーム、第１ブラック映像フレーム、第１右眼映像フレーム、及び第２ブラック映像フレームを出力する（ステップＳ２３４）。２次元映像モードの場合、ブラック挿入部３００は、２４０Ｈｚの第１オリジナル映像フレーム、第２オリジナル映像フレーム、第１補間映像フレーム、及び第２補間映像フレームをバイパス（ｂｙｐａｓｓ）する。
【０２０６】
パネル制御部４００及びパネル駆動部５００は、ブラック挿入部３００から供給された２４０Ｈｚの映像フレームを表示パネル７００に表示する（ステップＳ２３５）。表示パネル７００は２４０Ｈｚのフレーム周波数で映像フレームを表示する。
【０２０７】
実施形態１０
【０２０８】
図３０は本発明の実施形態１０に係る映像表示方法を説明するためのフローチャートである。
【０２０９】
図２８及び図２９を参照すると、データ処理部１００は１２０Ｈｚの映像フレームを受信する（ステップＳ２４１）。
【０２１０】
３次元映像モードの場合、データ処理部１００は、１２０Ｈｚの左眼映像フレーム及び右眼映像フレームを反復及び補正して、２４０Ｈｚの第１左眼映像フレーム、第２左眼映像フレーム、第１右眼映像フレーム、及び第２右眼映像フレームで出力する（ステップＳ２４３）。ブラック挿入部３００は、左眼映像フレームと右眼映像フレームとの間にブラック映像フレームを挿入して、第１左眼映像フレーム、第１ブラック映像フレーム、第１右眼映像フレーム、及び第２ブラック映像フレームを出力する（ステップＳ２４４）。パネル制御部４００及びパネル駆動部５００は、ブラック挿入部３００から供給された２４０Ｈｚの第１左眼映像フレーム、第１ブラック映像フレーム、第１右眼映像フレーム、及び第２ブラック映像フレームを表示パネル７００に表示する（ステップＳ２４５）。表示パネル７００は、２４０Ｈｚのフレーム周波数で映像フレームを表示する。
【０２１１】
一方、２次元映像モードの場合、データ処理部１００は、１２０Ｈｚのオリジナル映像フレーム及び補間映像フレームを反復させしない。すなわち、データ処理部１００は、１２０Ｈｚのオリジナル映像フレーム及び補間映像フレームをオーバードライビングまたは、アンダードライビングのためのデータに補正して出力する（ステップＳ２４７）。パネル制御部４００及びパネル駆動部５００は、データ処理部１００から供給される１２０Ｈｚの補正されたオリジナル映像フレーム及び補間映像フレームを表示パネル７００に表示する（ステップＳ２４９）。表示パネル７００は、１２０Ｈｚのフレーム周波数で映像フレームを表示する。
【０２１２】
本発明の実施形態によると、映像フレームを、メモリを用いて反復させて高周波の映像フレームを生成することができる。また、メモリは、データ補正のために以前のフレームのデータを保存するメモリを用いることができる。したがって、高周波の映像フレームを生成するために用いられる高価のＦＲＣ（ｆｒａｍｅ ｒａｔｅ ｃｏｎｔｒｏｌｌｅｒ）を省略することができ、製造コストを節減できる。
【０２１３】
以上、実施形態を参照して説明したが、当該技術分野の熟練した当業者は、下記の特許請求の範囲に記載された本発明の思想の範疇内において、本発明を多様に修正及び変更させる可能性があるものと理解され得る。
【符号の説明】
【０２１４】
１００、１０１、１０２、２００、２０１、２０２データ処理部
１１０、２１０ メモリ
１２０ メモリ制御部
１３０、２７０ フレーム反復部
１７０、１７１、２３０、２３１ データ補正部
１４０、２４０ 圧縮部
１６０、２２１ 圧縮制御部
１５０、２１１ 第２メモリ
３００ ブラック挿入部
４００ パネル制御部
５００パネル駆動部
７００ 表示パネル
【図１】
0006261685.tif 000002
【図２】
0006261685.tif 000003
【図３】
0006261685.tif 000004
【図４】
0006261685.tif 000005
【図５】
0006261685.tif 000006
【図６】
0006261685.tif 000007
【図７】
0006261685.tif 000008
【図８】
0006261685.tif 000009
【図９】
0006261685.tif 000010
【図１０】
0006261685.tif 000011
【図１１】
0006261685.tif 000012
【図１２】
0006261685.tif 000013
【図１３】
0006261685.tif 000014
【図１４】
0006261685.tif 000015
【図１５】
0006261685.tif 000016
【図１６】
0006261685.tif 000017
【図１７】
0006261685.tif 000018
【図１８】
0006261685.tif 000019
【図１９】
0006261685.tif 000020
【図２０】
0006261685.tif 000021
【図２１】
0006261685.tif 000022
【図２２】
0006261685.tif 000023
【図２３】
0006261685.tif 000024
【図２４】
0006261685.tif 000025
【図２５】
0006261685.tif 000026
【図２６】
0006261685.tif 000027
【図２７】
0006261685.tif 000028
【図２８】
0006261685.tif 000029
【図２９】
0006261685.tif 000030
【図３０】
0006261685.tif 000031